(57)【要約】【課題】  持ち手を変えることなく両手あるいは両脚で保持したままの状態で、同一直線方向上に力を加えて押圧運動あるいは引っ張り運動を行うことができ、安全で使いやすく、かつ健康の維持を図れるトレーニング器具を提供する。【解決手段】  トレーニング器具１０を、互いにスライド自在の外筒部材１１と内筒部材１５と、外筒部材１１を押える外筒押え部材１２と、内筒部材１５を押える内筒押え部材１６と、両筒部材１１，１５の内部に収容され両押え部材１２，１６をそれぞれ外側に付勢する圧縮コイルバネ２０と、外筒押え部材１２と内筒押え部材１６とをそれぞれ内側に付勢するゴムチューブ２５と、外筒押え部材１２および内筒押え部材１６のそれぞれに作業者が保持する外筒側装着部材３０および内筒側装着部材３５を備えた構成とする。【選択図】  図２
2009268896.tif 000002
【特許請求の範囲】
【請求項１】
外筒部材と、
この外筒部材内にスライド自在に挿入される内筒部材と、
前記外筒部材の一端部に固着されると共に当該外筒部材を前記内筒部材側に押圧する外筒押え部材と、
前記内筒部材の一端部に固着されると共に当該内筒部材を前記外筒部材側に押圧する内筒押え部材と、
前記外筒部材と内筒部材との内部に収容されると共に両端が前記外筒押え部材および内筒押え部材にそれぞれ当接しかつその外筒押え部材および内筒押え部材をそれぞれ外側に付勢する第１の付勢部材と、
前記外筒部材と内筒部材との外方において前記外筒押え部材と内筒押え部材とにわたって架けわたされると共に当該外筒押え部材と内筒押え部材とをそれぞれ内側に付勢する第２の付勢部材と、
前記外筒押え部材および内筒押え部材のそれぞれに設けられ使用者により保持可能な保持部と、を備えていることを特徴とするトレーニング器具。
【請求項２】
前記請求項１に記載のトレーニング器具において、
前記保持部は、前記外筒押え部材に設けられ左右いずれか一方の手足に装脱可能な外筒側装着部材と、前記内筒押え部材に設けられ左右いずれか他方の手足に装脱可能な内筒側装着部材とで構成されていることを特徴とするトレーニング器具。
【請求項３】
前記請求項１に記載のトレーニング器具において、
前記保持部は、前記外筒押え部材および内筒押え部材に設けられ当該外筒押え部材および内筒押え部材をそれぞれ右手と左手とのいずれかで把持する把持部で構成されていることを特徴とするトレーニング器具。
【請求項４】
前記請求項１ないし請求項３のいずれか一つに記載のトレーニング器具において、
前記第１の付勢部材が圧縮コイルバネで構成されると共に、第２の付勢部材がゴムチューブチューブで構成されていることを特徴とするトレーニング器具。
【請求項５】
前記請求項１ないし請求項３のいずれか一つに記載のトレーニング器具において、
前記第１の付勢部材が圧縮コイルバネで構成されると共に、第２の付勢部材が引っ張りコイルバネで構成されていることを特徴とするトレーニング器具。
【請求項６】
前記請求項１ないし請求項５のいずれか一つに記載のトレーニング器具において、
前記外筒部材および内筒部材を透明樹脂部材で形成したことを特徴とするトレーニング器具。
【発明の詳細な説明】
【技術分野】
【０００１】
本発明はトレーニング器具に係り、より詳しくは、両手で把持し、あるいは両脚に装着して、持ち手を変えることなく保持したままの状態で押したり引っ張ったりして、主に手足の筋肉を鍛え、健康の維持を図るためのトレーニング器具に関する。
【背景技術】
【０００２】
周知のように、人間の体は適宜な負荷を与え、つまり運動をすることで健康を維持することができる。そして、健康の大切さ、運動の必要性が叫ばれ、スポーツジム等を利用する人が増えている。特に、人間の体の老化は脚の衰えが大いに影響しているとされ、そのため、スポーツジム等では、脚力を鍛えるバイク器具等のトレーニング器具が揃えられ、さらに、体の各部位を鍛える器具が各種揃えられている。
【０００３】
一方で、スポーツジム等でなく、家庭で手軽に利用することができる簡易なトレーニング器具、例えば腹筋、背筋を鍛える器具、脚や腕を鍛える器具等が多数販売されている。これらのトレーニング器具のうち、バネを利用した器具として、よく知られ、かつ多く普及しているものでエキスパンダー（商品名）が知られている。
このエキスパンダーは、複数本の長いバネの両端に把持部が設けられ、これらの把持部をそれぞれ右手と左手とで把持して両手を開くことで、手や腕の筋肉に負荷を与え、それらの筋肉を鍛えるものである。
【０００４】
また、バネを利用した他の器具として、筋力トレーニング用具が知られている（例えば特許文献１参照）。
この特許文献１に開示された筋力トレーニング用具は、外筒部材と、その外筒部材の内部に挿通された内筒部材とを備えて構成され、外筒部材と内筒部材との内部に圧縮コイルバネが収容されている。また、外筒部材と内筒部材との両端部に把持部が設けられ、また、把持部間に紐部材が架けわたされた構造となっている。
そして、把持部を握って圧縮コイルバネを圧縮する方向に押すことで押圧運動ができる。あるいは、持ち手を替えて紐部材を掴んで両手を開くことで、引っ張り運動ができ、これにより、一つの器具で二種類の運動を行えるようになっている。
【０００５】
【特許文献１】特開昭５４−４２２２２号公報
【発明の概要】
【発明が解決しようとする課題】
【０００６】
しかし、前記エキスパンダーでは、前述のように、把持部をそれぞれ右手と左手とで把持して両手を開く引っ張り運動ができるだけであり、把持部を把持した状態でバネを圧縮する方向の運動、つまり押圧運動はすることができない。
さらに、エキスパンダーは両脚で挟んで押したり引いたりすることはできず、したがって、脚の筋肉を鍛えるために使用することはできない。
【０００７】
また、前記特許文献１に開示された筋力トレーニング用具では、把持部を握って、外筒部材と内筒部材とを縮小する方向に押圧する押圧運動はすることができるが、把持部を握った状態のまま引っ張り運動を行うことはできない。
【０００８】
この筋力トレーニング用具で引っ張り運動を行うには、把持部を握っていた両手を離して、今度は紐部材を掴んで両手を広げることで行うしかなく、持ち手を変えずに同一直線方向上で力を加えて押圧運動と引っ張り運動との二つの運動を行うことはできない。押圧運動と引っ張り運動とを行うには、その都度、持ち手を変えなくてはならず、使い勝手が悪いという問題がある。
【０００９】
さらに、特許文献１に開示された筋力トレーニング用具では、例えば脚の筋肉を鍛えようとする場合、上記押圧運動を行なうには、両端の把持部をそれぞれ左右の脚の足裏、あるいは足首等で押えておいて押圧しなければならず、ほとんど不可能である。
これに対して、両脚で引っ張り運動を行なおうとする場合、それぞれの紐部材を両足首等に引っ掛けて両脚を拡げなければならない。筋力トレーニング用具は全長が約９０ｃｍもあり、紐部材が外筒部材と内筒部材とに沿っていることから、この運動を行なう際は、椅子等に座って行なうか、仰向けに寝て、脚を所定角度持ち上げて行なうしかない。
【００１０】
椅子等に座って行なう場合、常に両脚を開いていなければ筋力トレーニング用具が落ちてしまうため、運動を続けるには、その都度、手で把持して紐部材を両脚にセットし直さなくてはならず、面倒であり、やりにくい。
また、仰向けに寝て行う運動の場合、筋力トレーニング用具をセットしてから脚を持ち上げ、かつ両脚を開くことになるが、上述のように、常に両脚を開いていなければ筋力トレーニング用具が脚に沿って上体側にずり落ちてくるので危険である。
以上のようなことから、特許文献１に開示された筋力トレーニング用具を用いて脚を鍛えるための運動を行うことは困難である。
上記筋力トレーニング用具の場合、全体の長さが９０ｃｍ以下で多少短くても、上記と同じような問題が生じる。
【００１１】
本発明は、前記問題点を解決するために提案されたものであり、持ち手を変えることなく両手あるいは両脚で保持したままの状態で、同一直線方向上に力を加えて押圧運動あるいは引っ張り運動を行うことができ、安全で使いやすく、かつ健康の維持を図れるトレーニング器具を提供することを目的とする。
【課題を解決するための手段】
【００１２】
本発明のトレーニング器具は、外筒部材と、この外筒部材内にスライド自在に挿入される内筒部材と、前記外筒部材の一端部に固着されると共に当該外筒部材を前記内筒部材側に押圧する外筒押え部材と、前記内筒部材の一端部に固着されると共に当該内筒部材を前記外筒部材側に押圧する内筒押え部材と、前記外筒部材と内筒部材との内部に収容されると共に両端が前記外筒押え部材および内筒押え部材にそれぞれ当接しかつその外筒押え部材および内筒押え部材をそれぞれ外側に付勢する第１の付勢部材と、前記外筒部材と内筒部材との外方において前記外筒押え部材と内筒押え部材とにわたって架けわたされると共に当該外筒押え部材と内筒押え部材とをそれぞれ内側に付勢する第２の付勢部材と、前記外筒押え部材および内筒押え部材のそれぞれに設けられ使用者により保持可能な保持部と、を備えていることを特徴とする。
【発明の効果】
【００１３】
本発明のトレーニング器具は、以上のように構成されているので、外筒押え部材および内筒押え部材を押圧することで、第１の付勢部材の付勢力に抗する負荷が手や脚に掛かり押圧運動となる。また、外筒押え部材および内筒押え部材を引っ張ることで、第２の付勢部材の付勢力に抗する負荷が手や脚に掛かり引っ張り運動となる。
これらの運動は、外筒押え部材および内筒押え部材の保持部で保持したままの状態で、同一直線方向上に力を加えて行うことができる。例えば脚に装着してその脚を所定角度上げて運動する場合、途中で運動を休止しても、トレーニング器具が保持部で両脚に保持されているので、落ちてくることもなく安全である。
その結果、持ち手を変えることなく両手あるいは両脚で保持したままの状態で、同一直線方向上に力を加えて安全に押圧運動あるいは引っ張り運動を行うことができ、これにより、安全で使いやすくなり、かつ健康の維持を図れるようになる。
【図面の簡単な説明】
【００１４】
【図１】本発明に係るトレーニング器具の第１実施形態を示す全体斜視図である。
【図２】前記実施形態のトレーニング器具を示す縦断面図である。
【図３】前記実施形態のトレーニング器具の一部を示す斜視図である。
【図４】前記実施形態のトレーニング器具の一使用状態を示す斜視図である。
【図５】前記実施形態のトレーニング器具の他の使用状態を示す斜視図である。
【図６】本発明に係るトレーニング器具の第２実施形態を示す縦断面図である。
【図７】図６におけるVII−VII線に沿った断面図である。
【図８】前記第２実施形態のトレーニング器具の一使用状態を示す斜視図である。
【図９】本発明の変形形態を示す部分拡大縦断面図である。
【図１０】本発明の他の変形形態を示す部分拡大縦断面図である。
【図１１】本発明のさらに他の変形形態を示す部分拡大縦断面図である。
【図１２】本発明の別の変形形態を示す部分拡大縦断面図である。
【発明を実施するための最良の形態】
【００１５】
以下、本発明に係るトレーニング器具の実施形態を図面に基づいて説明する。
図１〜３には、本実施形態のトレーニング器具１０が示されている。
図１はトレーニング器具１０を示す全体斜視図であり、図２はトレーニング器具１０の長手方向に沿った縦断面図であり、図３はトレーニング器具１０の部分詳細の斜視図である。
【００１６】
図１、図２に示すように、トレーニング器具１０は、外筒部材１１と、この外筒部材１１内にスライド自在に挿入される内筒部材１５と、前記外筒部材１１の一端部、つまり内筒部材１５とは反対側端部に固着された外筒押え部材１２と、前記内筒部材１５の一端部、つまり外筒部材１１とは反対側端部に固着された内筒押え部材１６とを備えて構成されている。
【００１７】
本実施形態では、外筒部材１１と内筒部材１５とがアルミ製パイプで形成されており、鋼管製に比べて軽くなっている。そして、外筒部材１１の大きさは、外径寸法が、例えば３０ｍｍ〜４０ｍｍに形成されており、内筒部材１５の外径は、当該内筒部材１５が外筒部材１１内をがたつくことなく、かつスムーズにスライドできる寸法に設定されている。
ただし、外筒部材１１の大きさは上記寸法に限定されない。
【００１８】
外筒部材１１と内筒部材１５との内部には、第１の付勢部材を構成する圧縮コイルバネ２０が収容されている。この圧縮コイルバネ２０はその両端が上記外筒押え部材１２および内筒押え部材１６の端部に当接し、かつ外筒押え部材１２および内筒押え部材１６を外側に付勢している。
【００１９】
圧縮コイルバネ２０は、その両端部が外筒押え部材１２および内筒押え部材１６に当接しているのみで、固定されてはいない。そのため、外筒押え部材１２および内筒押え部材１６を押圧したときは反発力が発生するが、両部材１２，１６を引張ったときは圧縮コイルバネ２０の両端部は外筒押え部材１２および内筒押え部材１６の端部から離れる。これにより、圧縮コイルバネ２０は外筒押え部材１２および内筒押え部材１６を引張る運動の妨げとならない。
【００２０】
なお、外筒部材１１と内筒部材１５とをアルミ製パイプに限らず、アクリル等の樹脂製としてもよい。
ここで、外筒部材１１と内筒部材１５とを樹脂製の、例えば透明なアクリル製のパイプで形成した場合、見た目に綺麗でおしゃれな感じがし、しかも両部材１１，１５の内部に収容されている圧縮コイルバネ２０が見えるので、その伸び縮みの様子をトレーニングしながら見ることができ、違う楽しみを味わうことができる。また、圧縮コイルバネ２０を赤や青等に着色しておけばカラフルなトレーニング器具となり、女性等が思わず手に持ちたくなり、すすんで、かつ楽しくトレーニングできるようになる。
そして、アクリル製のパイプとして、薄青等の半透明のものがある場合、外筒部材１１と内筒部材１５とを上記半透明のパイプで形成することで、カラフルな、また、ファッショナブルなトレーニング器具１０とすることができる。
【００２１】
圧縮コイルバネ２０の強さは、例えば、平均的な力を持つ平均的な大人の男性が、図２に矢印Ａで示すように、同一直線方向上に力を加えて外筒押え部材１２および内筒押え部材１６を押圧したとき、外筒部材１１と内筒部材１５とが相対的に５ｃｍ〜１０ｃｍスライドする程度のバネの強さに形成すると好適である。
ただし、このバネの強さは、上記に限らず、中高年、女性、子供達でも楽しく使えるような強さにしてもよい。この場合、バネの強さが異なるものを組み込んだトレーニング器具１０を各種揃えておくことができ、その結果、各人の体力に応じたトレーニング器具１０を選択することができる。
【００２２】
外筒押え部材１２および内筒押え部材１６は例えば合成樹脂製とされ、図２に示すように、それぞれの外筒部材１１および内筒部材１５側の中央部が膨らみ、両端側が外側に緩やかに延出した湾曲形状に形成されている。
そして、この湾曲形状は、トレーニング器具１０を例えば脚に装着した際、足首や膝部に略フィットするような形状になっている。また、外筒押え部材１２および内筒押え部材１６の中央部には突起部１２Ａ，１６Ａがそれぞれ形成され、これらの突起部１２Ａ，１６Ａは、それぞれ外筒部材１１と内筒部材１５との内径部に嵌合され、かつ止めビス１８により外筒押え部材１２および内筒押え部材１６にそれぞれ固定されている。
【００２３】
外筒押え部材１２および内筒押え部材１６間には、外筒部材１１と内筒部材１５との外方において当該外筒部材１１と内筒部材１５と平行に、第２の付勢部材を構成する紐状のゴムチューブ２５が架けわたされている。
このゴムチューブ２５は、外筒部材１１および内筒部材１５を挟んで互いに反対側に配置された例えば２本で構成され、各ゴムチューブ２５は、外筒押え部材１２および内筒押え部材１６にあけられた挿通穴にそれぞれ挿通されている。そして、ゴムチューブ２５の端部は例えば結ばれる等して形成された抜止め部２５Ａとされ、この抜止め部２５Ａにより、ゴムチューブ２５が上記挿通穴から抜けないようになっている。
【００２４】
また、ゴムチューブ２５の引っ張り強さは、例えば、平均的な力を持つ平均的な大人の男性が、図２に矢印Ａで示すように、同一直線方向上で力を加え外筒押え部材１２および内筒押え部材１６を引っ張ったとき、外筒部材１１と内筒部材１５とが相対的に５ｃｍ〜１０ｃｍスライドするような引っ張り強さに設定されている。そして、外筒部材１１と内筒部材１５との重なり部は、１０ｃｍ以上、例えば２０ｃｍスライドしても抜けないような寸法に設定されている。
ただし、このゴムチューブ２５の引っ張り強さは、上記に限らず、中高年、女性、子供達でも楽しく使えるような強さのゴムチューブであってもよい。この場合、ゴムチューブ２５の強さが異なるものを組み込んだトレーニング器具１０を各種揃えておくことができ、その結果、各人の体力に応じたトレーニング器具１０を選択することができる。
【００２５】
さらに、ゴムチューブ２５が外筒押え部材１２および内筒押え部材１６間に架けわたされ、負荷を加えない状態のとき、前記外筒部材１１および内筒部材１５内に収容された圧縮コイルバネ２０にも負荷が加えられておらず、両者の釣り合いがとれている。そして、この状態のときがトレーニング器具１０の未使用時である。
【００２６】
ここで、外筒部材１１と内筒部材１５内部に圧縮コイルバネ２０が収容されると共に、外筒押え部材１２と内筒押え部材１６とに２本のゴムチューブ２５が架けわたされたときの未使用時の全長、つまり、外筒押え部材１２と内筒押え部材１６との外側間の寸法は、４０ｃｍ〜５０ｃｍに設定されている。そのため、トレーニング器具１０を、例えば脚の膝で挟み込んで使用したり、両足首に装着したりしてのトレーニングもできるようになっている。
ただし、トレーニング器具１０の長さは、上記寸法に限定されない。
【００２７】
外筒押え部材１２と内筒押え部材１６との表面には、シート状部材を構成する外筒側装着部材３０と内筒側装着部材３５とがそれぞれ設けられており、これらの各装着部材３０，３５により保持部が構成されている。また、これらの外筒側装着部材３０と内筒側装着部材３５とはビニール等の合成樹脂製とされている。ただし、布製あるいは皮製としてもよい。
【００２８】
外筒側装着部材３０は、外筒押え部材１２の一方側端部から外側に延びた外筒側第１シート部３１と、他方側端部から外側に延びた外筒側第２シート部３２とを有している。
また、内筒側装着部材３５も、外筒側装着部材３０と同様に、内筒押え部材１６の一方側端部から外側に延びた内筒側第１シート部３６と、他方側端部から外側に延びた内筒側第２シート部３７とを有している。
【００２９】
以上のような外筒側装着部材３０および内筒側装着部材３５には、それぞれの長さ方向途中に、外筒部材１１および内筒部材１５が挿通する穴があけられている。また、各装着部材３０，３５は例えば接着剤によって外筒押え部材１２と内筒押え部材１６との表面にそれぞれ固着されている。
【００３０】
さらに、図３に詳細を示すように、各装着部材３０，３５の、例えば外筒側第２シート部３２および内筒側第２シート部３７の表面には面ファスナー４０を構成する第１ファスナーである雌型ファスナー部４０Ａが設けられている。この雌型ファスナー部４０Ａの先端部には、雌型ファスナー部４０Ａと係合して係止する第２ファスナーである雄型ファスナー部４０Ｂが接続されている。
【００３１】
また、外筒側装着部材３０および内筒側装着部材３５の、例えば外筒側第１シート部３１および内筒側第１シート部３６の先端には、四角形リング状の係止環４１がそれぞれ取り付けられている。これらの係止環４１には、各装着部材３０，３５の雄型ファスナー部４０Ｂが通され、その雄型ファスナー部４０Ｂを折り返して雌型ファスナー部４０Ａと係合させて係止させることができる。
【００３２】
なお、外筒側装着部材３０および内筒側装着部材３５の外筒側第１シート部３１および内筒側第１シート部３６と、外筒側第２シート部３２および内筒側第２シート部３７とでは、外筒側第１シート部３１および内筒側第１シート部３６の長さが短く形成されている。
【００３３】
次に、以上のようなトレーニング器具１０の使用方法を説明する。
【００３４】
まず、図４に基づいて脚のトレーニングについて述べる。
最初に、トレーニング器具１０をトレーニングする人５０の足首５１に装着してトレーニングの準備をする。
この際、外筒側装着部材３０および内筒側装着部材３５の外筒側第１シート部３１および内筒側第１シート部３６の端部と、外筒側第２シート部３２および内筒側第２シート部３７の端部とを係止環４１から外しておいて、外筒押え部材１２と内筒押え部材１６とのいずれか一方を左右のいずれかの足首５１に押し当てる。
【００３５】
次に、外筒側第２シート部３２および内筒側第２シート部３７の先端部、つまり雄型ファスナー部４０Ｂを外筒側第１シート部３１および内筒側第１シート部３６の端部の係止環４１に挿通させると共に、その雄型ファスナー部４０Ｂを引っ張って足首５１に合わせた後、折り返し、雌型ファスナー部４０Ａに押し付け、両ファスナー部４０Ａ，４０Ｂ同士を係合させてトレーニング器具１０を保持する。
同様にして、他方の足首５１にも両ファスナー部４０Ａ，４０Ｂ同士を係合させてトレーニング器具１０を保持する。
【００３６】
その後、仰向けになり、さらに、脚を例えば３０度〜６０度に上げておいて、トレーニング器具１０を左右の脚で保持したままの状態で、持ち手を変えることなく、矢印Ａで示すように、同一直線方向上に力を加え、押したり引っ張ったりして運動を行う。この運動を行なうことで、腹筋の他、大腿筋も鍛えることができる。
この際、左右の脚で保持したまま力を緩めても、保持状態に変化はないので、トレーニング器具１０が脚を伝って落ちてくることはなく、安全である。
【００３７】
また、図示はしないが、図４と逆の状態、つまりうつ伏せの状態で、足首にトレーニング器具１０を装着した状態で運動を行なうこともできる。この場合、脚を例えば５度〜１５度に上げておいて、トレーニング器具１０を左右の脚で保持したままの状態で、持ち手を変えることなく、押したり引っ張ったりして運動を行う。
この運動の場合、腹筋の他、大腿筋、背筋も鍛えることができる。
【００３８】
さらに、椅子等に腰掛け、左右の脚にトレーニング器具１０を装着し、両脚を前に出した状態で、あるいは下げた状態で行うこともできる。
【００３９】
また、図示しないが、トレーニング器具１０を膝部に装着して、仰向けあるいはうつ伏せの状態で運動することもできる。
この場合も、前記足首への装着と同様にして両膝部にトレーニング器具１０を装着した後、持ち手を変えることなく、同一直線上で力を加え、両膝部を開いたり閉じたりする運動を行える。そして、この運動により、大腿筋を鍛えることができると共に、脚を例えば３０度〜６０度あげて行った場合、足首に装着した場合と同様、腹筋、背筋をも鍛えることができる。
特に、両膝部を大きく開くと大腿部の動脈が引き伸ばされるので、その引き伸ばされて細くなった血管を拡げようと下半身への血流が増加することに伴い、陰茎海綿体への血流も増加することになり、結果的にＥＤ（勃起障害）の治療効果をも得ることができる。
なお、この運動も、椅子等に腰掛けて行うことができる。
【００４０】
さらに、トレーニング器具１０を、図５に示すように両手首５２に装着しての運動も行え、これにより、手の各部の筋肉や大胸筋等を鍛えることができる。また、トレーニング器具１０を、図示しないが、肘部や、上腕部に装着しての運動も行える。特に、上腕部に装着して、トレーニング器具１０を圧縮したり引っ張ったりする運動を行なうと、肩甲骨部が垂直面内で両肩を結ぶ線に対して前後方向に往復回動することになり、肩関節の可動域が拡がり、その結果、肩凝り等の改善に役立てることができる。
【００４１】
また、両手を後ろに回した状態でトレーニング器具１０を手首や、肘部や、上腕部に装着しての運動も行える等、保持した状態のまま、体のいろいろな部位の運動を行なうことができ、その結果、筋肉が鍛えられ、健康の維持を図ることができる。
なお、手首等、自分で装着、取り外しできない場合は、仲間に手伝ってもらって装着したり、取り外したりすればよい。
【００４２】
また、前記実施形態のトレーニング器具１０の外筒側装着部材３０および内筒側装着部材３５を使用せずに、両手で外筒押え部材１２と内筒押え部材１６とのそれぞれを掴んで、持ち手を変えることなく、押したり引っ張ったりすることもできる。この場合、持ち手を替えることなく、腕を伸ばした状態で押したり引っ張ったりする運動と肘を曲げた状態で胸の前で押したり引っ張ったりする運動等ができ、両者では明らかに違う部位の筋肉の運動ができ、トレーニング器具１０の運動の応用範囲が広がる。
【００４３】
以上のような本第１実施形態によれば、次のような効果がある。
（１）外筒押え部材１２および内筒押え部材１６を押圧することで、圧縮コイルバネ２０の付勢力に抗する負荷が手や脚に掛かるので押圧運動ができる。また、外筒押え部材１２および内筒押え部材１６を引っ張ることで、ゴムチューブ２５の付勢力に抗する負荷が手や脚に掛かり引っ張り運動ができる。これらの運動は、外筒側装着部材３０および内筒側装着部材３５で保持したままの状態で、同一直線方向上に力を加えて行うことができる。その結果、持ち手を変えることなく両手あるいは両脚で保持したままの状態で、同一直線方向上に力を加えて押圧運動あるいは引っ張り運動を行うことができ、使いやすくなり、これにより、健康の維持を図れるようになる。
【００４４】
（２）外筒側装着部材３０および内筒側装着部材３５で外筒押え部材１２および内筒押え部材１６を保持したままの状態で、押圧運動あるいは引っ張り運動を行うことができる。例えば両足首５１にトレーニング器具１０を装着し、仰向けになって脚を例えば３０度〜６０度上げて運動する場合、途中で運動を休止しても、両脚で保持されているので、落ちてくることもない。その結果、仰向けあるいはうつ伏せの状態で脚の筋肉を鍛える運動を行なう場合でも、安全に行うことができる。
【００４５】
（３）トレーニング器具１０の全長が４０ｃｍ〜５０ｃｍ程度に形成されているので、両足首や両膝に装着して保持することができ、また、両手首、両肘や両上腕に装着して保持することができる。そして、その状態で、持ち手を変えることなく両手あるいは両脚で保持したままの状態で、かつ同一直線方向上に力を加える運動を行なうことができるので、特許文献１等に開示されたトレーニング用具、あるいは一般的に知られたエキスパンダー等ではできないような各種の運動でもできる。
【００４６】
（４）外筒押え部材１２および内筒押え部材１６間に架けわたされた第２付勢部材がゴムチューブ２５で形成されているので、そのゴムチューブ２５が伸縮するとき、例えばバネの伸縮時に挟まれたりするおそれがあるが、その心配がまったくなくなり、女性や子供が使用しても安全である。
【００４７】
（５）外筒部材１１および内筒部材１５がアルミ製パイプで形成されているので、トレーニング器具１０の全体重量を軽くすることができ、また、美感にも優れ、これにより、中高年の人や女性でも使いやすくなるという効果がある。
【００４８】
（６）外筒部材１１と内筒部材１５とを、例えば透明、あるいは半透明のアクリル製のパイプで形成した場合、両部材１１，１５の内部に収容されている圧縮コイルバネ２０が見えるので、その伸び縮みの様子をトレーニングしながら見ることができ、外筒部材１１と内筒部材１５とが金属製の場合と違う楽しみを味わうことができる。また、両部材１１，１５を透明、あるいは半透明のアクリル製とすると共に、圧縮コイルバネ２０を赤や青等に着色しておけば見た目に美しくなり、女性等が思わず手に持ちたくなり、すすんで、かつ楽しくトレーニングできるようになる。
【００４９】
（７）外筒側装着部材３０および内筒側装着部材３５の外筒側第１シート部３１および内筒側第１シート部３６と、外筒側第２シート部３２および内筒側第２シート部３７とでは、外筒側第１シート部３１および内筒側第１シート部３６の長さが短く形成されているので、足首５１等に装着する際、外筒側第２シート部３２および内筒側第２シート部３７の雄型ファスナー部４０Ｂを引張って雌型ファスナー部４０Ａに係合させればよく、装着具合を調整することができる。その結果、使用する人の体格に個人差があっても、あるいは使用する部位に大きさの差があっても、柔軟にかつ容易に対応することができる。
【００５０】
（８）外筒押え部材１２および内筒押え部材１６は湾曲形状に形成されているので、トレーニング器具１０を手首や足首５１に装着する際、当該足首５１等にフィットする。その結果、装着しても痛くなく、長時間にわたる運動でも快適に続けることができる。
【００５１】
次に、図６に基づいて、本発明のトレーニング器具の第２実施形態を説明する。
本第２実施形態のトレーニング器具６０はその保持部の構成を、前記第１実施形態のトレーニング器具１０の保持部の構成と異なる構成としたものである。
そのため、保持部のみを詳細に説明し、その他の同一部材および同一構成部位には同一符号を付して簡単に説明する。
【００５２】
トレーニング器具６０は、前記外筒部材１１と内筒部材１５とのそれぞれ一端部に設けられる外筒押え部材６２と内筒押え部材６６とを備えて構成されている。
なお、第２実施形態でも、外筒部材１１と内筒部材１５とを、アルミ製パイプ部材に限らず、例えば透明なアクリル製のパイプで形成してもよい。
外筒押え部材６２と内筒押え部材６６とは、それぞれ、全体外形形状が略台形形状の環状に形成されている。
【００５３】
外筒押え部材６２と内筒押え部材６６との略台形形状の短辺中央には突起部６２Ａ，６６Ａが形成され、これらの突起部６２Ａ，６６Ａは、前記外筒部材１１と内筒部材１５とのそれぞれの内径部に嵌合するようになっている。
また、外筒押え部材６２と内筒押え部材６６との内部空間Ｓは、右手あるいは左手を差し込める大きさに形成され、台形形状の長辺部が右手あるいは左手で把持できる把持部６２Ｂ，６６Ｂとされている。そして、これらの把持部６２Ｂ，６６Ｂにより保持部が構成されている。
【００５４】
さらに、外筒押え部材６２と内筒押え部材６６との間には、前記ゴムチューブ２５が架けわたされている。そして、ゴムチューブ２５は、その結び目２５Ａが前記台形の空間Ｓ内に収められている。
以上のようなトレーニング器具２０は、全体の長さが、例えば６０ｃｍ〜７０ｃｍに形成されている。ただし、トレーニング器具２０の長さは、６０ｃｍ〜７０ｃｍに限定されず、例えば、第１実施形態のトレーニング器具１０の長さと同様に４０ｃｍ〜５０ｃｍに形成してもよい。
【００５５】
次に、以上のようなトレーニング器具６０の使用方法を説明する。
【００５６】
まず、図８に示すように、外筒押え部材６２と内筒押え部材６６との空間Ｓに右手あるいは左手を差し込んで把持部６２Ｂ，６６Ｂを掴み、そのままの状態で、持ち手を変えることなく、かつ同一直線方向上に力を加えて押したり引っ張ったりする運動を行うことができる。
【００５７】
以上のような本第２実施形態によれば、前記（４）〜（６）と略同様の効果を得ることができる他、次のような効果を得ることができる。
（９）外筒押え部材６２と内筒押え部材６６との空間Ｓに右手あるいは左手を差し込んで把持部６２Ｂ，６６Ｂを掴み、そのままの状態で同一直線方向上に力を加えて押したり引っ張ったりする運動を行うことができる。したがって、持ち手を変えることなく２種類の運動を行うことができる。
【００５８】
以上、上記各実施形態を参照して本発明を説明したが、本発明は上記各実施形態に限定されるものではない。本発明の構成や詳細については、当業者が理解し得るさまざまな変更を加えることができる。また、本発明には、上記各実施形態の構成の一部又は全部を相互に適宜組み合わせたものも含まれる。
【００５９】
例えば、前記第１実施形態および第２実施形態では、第２付勢部材として紐状のゴムチューブ２５が使用されているが、これに限らない。図９に示すように、紐状のゴムチューブ２５と略同じ引っ張り強さを有する引っ張りコイルバネ７１を使用したトレーニング器具７０としてもよい。なお、引っ張りコイルバネ７１の端部には、抜止め部７１Ａが形成されている。
そして、この場合、引っ張りコイルバネ７１の方が上記ゴムチューブ２５より経年劣化が少なく、その結果、寿命が長くなるという効果が得られる。
【００６０】
なお、図９では第１実施形態のゴムチューブ２５に換えて引っ張りコイルバネ７１を設けた例が示されているが、図６に示す第２実施形態のゴムチューブ２５に換えて上記引っ張りコイルバネ７１を設けてもよい。
【００６１】
また、前記第１実施形態における外筒押え部材１２と内筒押え部材１６の人体に直接当接する裏面に、図２（図９も参照）に仮想線で示すように、ゴムやウレタン等の緩衝部材２２を接着等により固着してもよい。
このようにすれば、足首等に装着して押圧運動を行なうとき、足首等が痛くならないので、長時間の運動でも快適に行なうことができる。
【００６２】
また、前記第１実施形態および第２実施形態では、外筒部材１１と内筒部材１５とがスライド自在となるように係合させると共に、両部材１１，１５の重なり部を互いが抜けない寸法に設定していたが、これに限らない。例えば、図１０に示すように、外筒部材１１と内筒部材１５との係合端部に、それぞれ抜止め部１１Ａ，１５Ａを設けてもよい。
すなわち、外筒部材１１の抜止め部１１Ａは、当該外筒部材１１における内筒部材１５側の先端部を内径側に向けて折曲げて形成され、内筒部材１５の抜止め部１５Ａは、当該内筒部材１５における外筒部材１１側の先端部を拡径して形成されている。
【００６３】
そして、外筒部材１１の上記抜止め部１１Ａの内径寸法Ｄ２は内筒部材１５の外形寸法ｄ１よりわずかに大きく、内筒部材１５の上記抜止め部１５Ａの外形寸法ｄ２は外筒部材１１の内径寸法Ｄ１よりわずかに小さく設定されている。また、内筒部材１５の抜止め部１５Ａの外形寸法ｄ２は外筒部材１１の抜止め部１１Ａの内径寸法Ｄ２より大きく設定されている。
【００６４】
したがって、外筒部材１１と内筒部材１５とが矢印Ａ方向にスライドし、互いの抜止め部１１Ａと抜止め部１５Ａとが係合する位置まで移動したとき、両抜止め部１１Ａ，１５Ａとが係合し合うので、外筒部材１１と内筒部材１５とをそれ以上引張ることができない。その結果、外筒部材１１と内筒部材１５とを大きな力で引張っても両抜止め部１１Ａ，１５Ａとでストップされるので、両部材１１，１５が抜けることがない。
【００６５】
また、前記第１実施形態および第２実施形態において外筒部材１１と内筒部材１５とを例えば透明アクリル樹脂等の樹脂製とした場合に、両部材１１，１５が抜けないように、当該両部材１１，１５の係合端部に図１１に示すような抜止め機構８５を設けてもよい。
すなわち、抜止め機構８５は、例えば外筒部材１１の内筒部材１５側の先端内径部に外筒用リング部材８６を固着させると共に、内筒部材１５の外筒部材１１側の先端外径部に内筒用リング部材８７を固着させた構成とされている。
【００６６】
ここで、外筒用リング部材８６の内径寸法Ｄ２は内筒部材１５の外形寸法ｄ１よりわずかに大きく、内筒用リング部材８７の外形寸法ｄ２は外筒部材１１の内径寸法Ｄ１よりわずかに小さく設定されている。また、内筒用リング部材８７の外形寸法ｄ２は外筒用リング部材８６の内径寸法Ｄ２より大きく設定されている。
【００６７】
したがって、外筒部材１１と内筒部材１５とは矢印Ａ方向にスライドし、互いのリング部材８６，８７同士が係合する位置まで移動したとき、リング部材８６，８７同士が係合し合うので、外筒部材１１と内筒部材１５とをそれ以上引張ることができない。これにより、外筒部材１１と内筒部材１５とを大きな力で引張ってもリング部材８６，８７でストップされるので、外筒部材１１と内筒部材１５とが抜けることがない。
【００６８】
また、前記第１実施形態では、保持部として各装着部材３０，３５に、面ファスナー４０を構成する雌型ファスナー部４０Ａと雄型ファスナー部４０Ｂを設けると共に、雄型ファスナー部４０Ｂを挿通させる係止環４１を設けた構成としたが、保持部はこのような構成に限らず、例えば図１２に示すような構成としてもよい。
【００６９】
すなわち、図１２には、トレーニング器具９０における外筒部材１１の一端部の保持部Ｈが示されており、この保持部Ｈは、装着部材９１を含み構成されている。
装着部材９１の外筒側第１シート部９２に例えばプラスチック製の係止部材９４が装着されると共に、外筒側第２シート部９３に例えばプラスチック製の挿入部材９５が装着されており、挿入部材９５と係止部材９４とが挿脱可能とされ、挿入部材９５を係止部材９４に挿入することで保持できるようになっている。
【００７０】
挿入部材９５は、外筒側第２シート部９３を折り返し可能な支持部９５Ａと、幅方向中央部に形成されたガイド部９５Ｂを挟んで設けられた先端係合部９５Ｃとを有して構成され、この先端係合部９５Ｃはそのバネ性により、互いに対向する方向に縮小、拡開できるようになっている。
そして、外筒側第２シート部９３の先端部９３Ａを挿入部材９５の支持部９５Ａに巻き付けると共に折り返し、これにより、長さの調整ができるようになっている。
【００７１】
係止部材９４は、外筒側第１シート部９２を折り返し可能な支持部９４Ａと、上記先端係合部９５Ｃを係止可能な先端係止部９４Ｂと、上記ガイド部９５Ｂをガイド可能な溝部（図略）を有して形成されている。
また、係止部材９４の隣接位置には、外筒側第１シート部９２の長さを調節自在な係止環９６が設けられている。この係止環９６にも支持部９６Ａが設けられている。
そして、外筒側第１シート部９２の先端部９２Ａを係止環９６の支持部９６Ａを通してから係止環９６の外側に折り返し、これにより、外筒側第１シート部９２の長さの調整ができるようになっている。
【００７２】
なお、トレーニング器具９０において内筒側第１シート部および内筒側第２シート部は図示されていないが、その構成も図１２に示す構成と同じである。
このようにしても、前記（１）〜（８）と略同様の効果を得ることができる。
【００７３】
また、前記第１実施形態では、保持部として各装着部材３０，３５に、面ファスナー４０を構成する雌型ファスナー部４０Ａと雄型ファスナー部４０Ｂを設けると共に、雄型ファスナー部４０Ｂを挿通させる係止環４１を設けた構成としたが、保持部Ｈはこのような構成に限らない。
外筒側装着部材３０の外筒側第１シート部３１および外筒側第２シート部３２のいずれか一方の表面を雌型ファスナー部４０Ａとすると共に、いずれか他方の裏面を雄型ファスナー部４０Ｂとし、また、内筒側装着部材３５の内筒側第１シート部３６および内筒側第２シート部３７のいずれか一方の表面を雌型ファスナー部４０Ａとすると共に、いずれか他方の裏面を雄型ファスナー部４０Ｂとし、裏面の雄型ファスナー部４０Ｂを雌型ファスナー部４０Ａとなった表面に覆い被せて保持する構成としてもよい。
【００７４】
また、前記第１実施形態では、係止環４１に雄型ファスナー部４０Ｂを挿通させた後折り返し、その雄型ファスナー部４０Ｂを雌型ファスナー部４０Ａに係合させる構成としたが、これに限らず、外筒側装着部材３０および内筒側装着部材３５のそれぞれの一方側にバックルを有する一方のベルト状部材を設け、他方側にバックルの止めピンを差し込むベルト穴が開けられた他方のベルト状部材を設け、ベルト穴の位置を調整することで、最適状態に取り付けられるようにする構成としてもよい。
【００７５】
さらに、前記各実施形態では、外筒部材１１と外筒押え部材１２との固定を、外筒押え部材１２の突起部１２Ａを外筒部材１１の内径部に挿入し、両者を止めビス１８で止めて固定し、また、内筒部材１５と内筒押え部材１６との固定を、内筒押え部材１６の突起部１６Ａを内筒部材１５の内径部に挿入し、両者を止めビス１８で止めて固定する構成としたが、これに限らない。
例えば、各突起部１２Ａ，１６Ａの外周にそれぞれ雄ネジを形成すると共に、外筒部材１１の内径部および内筒部材１５の内径部にそれぞれ雌ネジを形成し、両者を螺合することで固定するようにしてもよい。
【００７６】
また、前記各実施形態では、外筒部材１１と内筒部材１５とをアルミ製パイプ等で形成し、軽量化を図っているが、これに限らず、外筒部材１１と内筒部材１５とを、例えば鋼製パイプあるいは銅製パイプとすると共に、その板厚を積極的に厚くして、全体の重量を重くしたトレーニング器具としてもよい。このようにすれば、より各部の筋力を鍛えることができるので、例えば、格闘技系のアスリート等の専用トレーニング器具とすることもできる。
【産業上の利用可能性】
【００７７】
本発明は、手で握ったままあるいは脚に装着したままの状態で、押圧したり引っ張ったりする運動をして手脚の筋肉、特に脚の筋肉を鍛え、これにより、健康を維持したい場合に利用できる。
【符号の説明】
【００７８】
１０  第１実施形態のトレーニング器具
１１  外筒部材
１２  外筒押え部材
１５  内筒部材
１６  内筒押え部材
２０  第１付勢部材を構成する圧縮コイルバネ
２５  第２付勢部材を構成するゴムチューブ
３０  保持部を構成する外筒側装着部材
３１  外筒側第１シート部
３２  外筒側第２シート部
３５  保持部を構成する内筒側装着部材
３６  内筒側第１シート部
３７  内筒側第２シート部
４０  面ファスナー
４０Ａ  第１ファスナーを構成する雌型ファスナー
４０Ｂ  第２ファスナーを構成する雄型ファスナー
６０  第２実施形態のトレーニング器具
６２  外筒押え部材
６２Ｂ  保持部を構成する把持部
６６  内筒押え部材
６６Ｂ  保持部を構成する把持部
Ｈ  保持部
【図１】
2009268896.tif 000003
【図２】
2009268896.tif 000004
【図３】
2009268896.tif 000005
【図４】
2009268896.tif 000006
【図５】
2009268896.tif 000007
【図６】
2009268896.tif 000008
【図７】
2009268896.tif 000009
【図８】
2009268896.tif 000010
【図９】
2009268896.tif 000011
【図１０】
2009268896.tif 000012
【図１１】
2009268896.tif 000013
【図１２】
2009268896.tif 000014